(57)【要約】      （修正有）【課題】便槽の上にボックスが固定され、便槽とボックスの壁パネルがプラスチックのブロー成形体からなる仮設トイレにおいて、便槽に汚物が大量に入った状態でも、便槽やボックスを変形・破損させることなく、クレーンで吊り上げることができる仮設トイレを提供する。【解決手段】仮設トイレが、互いに前後方向に離れた位置で便槽１に固定された複数個の吊り上げ部材２１を備える。吊り上げ部材２１は、中央の底板と左右の側板を有して正面視略コの字形をなす。底板が便槽１の底面に接触し、側板が便槽１の側面に固定され、側板の内側に吊り上げ索３３を掛止する掛止部材が設置されている。【選択図】図１
2014079421.tif 000002
【特許請求の範囲】
【請求項１】
便槽の上にボックスが固定され、便槽とボックスの壁パネルがプラスチックのブロー成形体からなる仮設トイレにおいて、互いに前後方向に離れた位置で前記便槽に固定された複数個の吊り上げ部材を備え、各吊り上げ部材は、中央の底板と両側板を有して正面視略コの字形をなし、中央の底板が便槽の底面に接触し、両側板が便槽の側面に固定され、前記両側板に吊り上げ索を掛止する掛止部材が設置されていることを特徴とする吊り上げ可能な仮設トイレ。
【請求項２】
前記便槽の前後方向に離れた複数箇所において両側部の左右対称位置に内側に凹む第１凹部が形成され、前記第１凹部の上端にプラスチックのパリソン同士が圧着した第１フランジが略水平に形成され、前記吊り上げ部材は両側板の内面側にフランジ部が形成され、前記第１フランジの下面側に前記吊り上げ部材のフランジ部が締結されていることを特徴とする請求項１に記載された吊り上げ可能な仮設トイレ。
【請求項３】
前記掛止部材が前記側板の内面側に設置されて前記第１凹部に収容され、前記側板に前記吊り上げ索が通過する開口が形成されていることを特徴とする請求項２に記載された吊り上げ可能な仮設トイレ。
【請求項４】
前記吊り上げ部材の底板と各側板のコーナー部内側に一対の補強リブが設置され、前記一対の補強リブが前記第１凹部に収容され、前記一対の補強リブの間に前記掛止部材が設置されていることを特徴とする請求項２又は３に記載された吊り上げ可能な仮設トイレ。
【請求項５】
各第１凹部に対応して壁パネルの下端近傍に内側に凹む第２凹部が形成され、前記第２凹部の下端にプラスチックのパリソン同士が圧着した第２フランジが略水平に形成され、前記第１フランジと第２フランジ、及び前記吊り上げ部材のフランジ部が互いに締結されていることを特徴とする請求項２〜４のいずれかに記載された吊り上げ可能な仮設トイレ。
【請求項６】
前記ボックスの上部に前記吊り上げ索が通る複数個のガイドリングが設置されていることを特徴とする請求項１〜５のいずれかに記載された吊り上げ可能な仮設トイレ。
【発明の詳細な説明】
【技術分野】
【０００１】
本発明は、公共の場所、工事現場、イベント会場、パーキング、被災地など、様々な場所に設置される仮設トイレに関し、特にクレーンで吊り上げ可能な仮設トイレに関する。
【背景技術】
【０００２】
仮設トイレは、特許文献１〜３に記載されているように、ベースとなる便槽と、便槽の上に設置されたフロアパネルと、フロアパネルの上に設置された踏み台と、踏み台の中央部に設置された便器と、フロアパネルの周囲を囲み、便槽に固定されたボックスと、そのほかボックス内に配置された水洗機器等からなる。ボックスは、四方の壁パネルと、天井パネル、及び前方の壁パネルに設置されたドアからなる。
図５，６に示す仮設トイレはその一例で、１は便槽、２はボックス、３はフロアパネルであり、ボックス２は、壁パネル４（左壁パネル）、壁パネル５（前壁パネル）及び図示されていない２枚の壁パネル（右壁パネルと後壁パネル）、ドア６、天井パネル７からなる。これらの構成部材は、いずれもポリエチレン又はポリプロピレン等のプラスチックのブロー成形体からなり、このうちフロアパネル３、壁パネル（壁パネル４，５、右壁パネル、後壁パネル）、ドア６及び天井パネル７は、２重壁ブロー成形体と呼ばれるパネルからなる。
【０００３】
便槽１の左側部には、前後方向に離れた２箇所に上端近傍から下端に達する、内側に凹む凹部（第１凹部８）が形成され、第１凹部８の上端にプラスチックのパリソン同士が圧着した板状のフランジ（第１フランジ９）が略水平に、便槽１の上面と面一に形成されている。なお、図示していないが、便槽１の右側部にも、前記第１凹部８及び第１フランジ９と左右対称位置に、同様の第１凹部及び第１フランジが形成されている。
【０００４】
壁パネル４の下端近傍の、前記第１凹部８に対応する位置（直上位置）に、内側に凹む凹部（第２凹部１０）が形成され、第２凹部１０の下端にプラスチックのパリソン同士が圧着した板状のフランジ（第２フランジ１１）が略水平に、壁パネル４の下端面と面一に形成されている。また、壁パネル４の上端近傍の前後方向に離れた２箇所に、内側に凹む凹部（第３凹部１２）が形成され、第３凹部１２の上端にプラスチックのパリソン同士が圧着した板状のフランジ（第３フランジ１３）が略水平に、壁パネル２の上端面と面一に形成されている。なお、図示していないが、ボックス２の右壁パネルにも、前記第２凹部１０、第２フランジ１１、第３凹部１２及び第３フランジ１３と左右対称位置に、同様の第２，第３凹部及び第２，第３フランジが形成されている。
【０００５】
天井パネル７の左側部の下端近傍には、前後方向に離れた２箇所に、内側に凹む凹部（第４凹部１４）が形成され、第４凹部１４の下端にプラスチックのパリソン同士が圧着した板状のフランジ（第４フランジ１５）が略水平に、天井パネル５の下端面と面一に形成されている。なお、図示していないが、天井パネル７の右側部にも、前記第４凹部１４及び第４フランジ１５と左右対称位置に、同様の第４凹部及び第４フランジが形成されている。
【０００６】
便槽１の上にフロアパネル３とボックス２が配置され、便槽１の水平な上面とボックス２の下面（壁パネル４，５（右壁パネル、後壁パネルも）の下面）が面接触し、第１フランジ９と第２フランジ１１が上下で互いに面接触する。第１フランジ９と第２フランジ１１に穴１６，１７が形成されており、第１フランジ９と第２フランジ１１が穴１６，１７を通るボルト（図５，６に図示せず）により締結され、便槽１と壁パネル４が連結されている（右壁パネルも同様の形態で便槽１に連結されている）。
【０００７】
ボックス２において、壁パネル４，５及び右壁パネルと後壁パネルの上に天井パネル７が配置され、天井パネル７の水平な下面と壁パネル４，５（右壁パネル、後壁パネルも）の上面が面接触し、第３フランジ１３と第４フランジ１５が上下で互いに面接触する。第３フランジ１３と第４フランジ１５に穴１８，１９が形成され、第３フランジ１３と第２フランジが穴１８，１９を通るボルト（図５，６に図示せず）により締結され、壁パネル２と天井パネル５が連結されている（右壁パネルも同様の形態で天井パネルに連結されている）。
【０００８】
このような仮設トイレを設置場所から撤去又は移動する場合、一般に、便槽内に溜まった汚物をくみ取り車でくみ取り、便槽を空にした後、ボックス上部か便槽上部に設置したフックに吊り上げ索（ワイヤロープ等）を掛け、仮設トイレをクレーンで吊り上げ、トラックの荷台に積み込むようにしている。なお、特許文献４，５には、仮設トイレのボックス上部に設置したフックに吊り上げ索を掛け、クレーンで吊り上げることが記載されている。
【先行技術文献】
【特許文献】
【０００９】
【特許文献１】特開２００５−２４８５５３号公報
【特許文献２】特開平８−１０３９４４号公報
【特許文献３】特開平８−８４６８７号公報
【特許文献４】特開平１０−２３９９１号公報
【特許文献５】特開２００４−２７０４２７号公報
【発明の概要】
【発明が解決しようとする課題】
【００１０】
仮設トイレを極寒冷地で使用して汚物が凍結し、くみ取りができなくなったり、あるいは何らかの事情によりくみ取り車が手配できないという場合がある。このような場合、やむを得ず、便槽に汚物が溜まったままの仮設トイレを撤去又は移動する必要がある。
しかし、便槽に溜まった汚物の量が３００〜５００リットルにも達すると、ボックス上部に設置したフックに吊り上げ索を掛け、仮設トイレをクレーンで吊り上げると、ボックスの壁パネルと天井パネルの締結部あるいはボックスの壁パネルと便槽の締結部が変形・破損しやすい。便槽上部に設置したフックに吊り上げ索を掛けて吊り上げた場合でも、便槽の底面に大きい荷重が掛かり、便槽が変形・破損しやすい。
なお、フォークリフトを用いれば、便槽に汚物が入ったままの仮設トイレを、破損させることなくトラックの荷台に積み込むことができるが、設置場所でフォークリフトを調達できるとは限らない。
【００１１】
本発明は仮設トイレの撤去又は移動についての上記従来の問題点に鑑みてなされたもので、便槽に汚物が大量に入った状態でも、便槽やボックスを変形・破損させることなくクレーンで吊り上げることができる仮設トイレを提供することを目的とする。
【課題を解決するための手段】
【００１２】
本発明に係る仮設トイレは、便槽の上にボックスが固定され、便槽とボックスの壁パネルがプラスチックのブロー成形体からなる仮設トイレにおいて、互いに前後方向に離れた位置で前記便槽に固定された複数個の吊り上げ部材を備え、各吊り上げ部材は、中央の底板と両側板を有して正面視略コの字形をなし、中央の底板が便槽の底面に接触し、両側板が便槽の側面に固定され、前記両側板に吊り上げ索を掛止する掛止部材が設置されていることを特徴とする。
【００１３】
上記仮設トイレは、例えば次のような実施の形態を有する。
（１）前記便槽の前後方向に離れた複数箇所において両側部の左右対称位置に内側に凹む第１凹部が形成され、前記第１凹部の上端にプラスチックのパリソン同士が圧着した第１フランジが略水平に形成され、前記吊り上げ部材は両側板の内面側にフランジ部が形成され、前記第１フランジの下面側に前記吊り上げ部材のフランジ部が締結されている。
（２）上記（１）の形態において、さらに、前記掛止部材が前記側板の内面側に設置されて前記第１凹部に収容され、前記側板に前記吊り上げ索が通過する開口が形成されている。
【００１４】
（３）前記（１），（２）の形態において、さらに、前記吊り上げ部材の底板と各側板のコーナー部内側に一対の補強リブが設置され、前記一対の補強リブが前記第１凹部に収容され、前記一対の補強リブの間に前記掛止部材が設置されている。
（４）上記（１）〜（３）の形態において、さらに、各第１凹部に対応して壁パネルの下端近傍に内側に凹む第２凹部が形成され、前記第２凹部の下端にプラスチックのパリソン同士が圧着した第２フランジが略水平に形成され、前記第１フランジと第２フランジ、及び前記吊り上げ部材のフランジ部が互いに締結されている。
（５）前記ボックスの上部に前記吊り上げ索が通る複数個のガイドリングが設置されている。
【発明の効果】
【００１５】
本発明に係る仮設トイレは、仮設トイレをクレーンで持ち上げたとき、その重量が便槽の底面に接触する吊り上げ部材で支えられるため、便槽に汚物が大量に入った状態でも、フォークリフトで持ち上げる場合とほぼ同様に、便槽やボックスが変形・破損するのを防止できる。
また、吊り上げ部材に形成したフランジ部を、便槽上部に形成した第１フランジの下面側に固定した場合、仮設トイレの荷重が便槽の底面と第１フランジに分散してそれぞれ吊り上げ部材で支えられ、便槽やボックスが変形・破損するのを防止する上でより効果的である。
【００１６】
また、掛止部材や補強リブが側板の内面側に設置され、便槽の第１凹部内に収容されるようになっていると、吊り上げ部材を仮設トイレに設置した場合でも、外部に突起物がなく、見栄えがよく危険も少ない。
また、第１，第２フランジ及び吊り上げ部材のフランジ部が一緒に締結される構造は、従来の仮設トイレの構造をそのまま利用するもので、吊り上げ部材のフランジ部を締結するための構造を追加的に設ける必要がない利点がある。掛止部材や補強リブが便槽の第１凹部内に収容される構造も、従来の仮設トイレの構造をそのまま利用するものである。
また、ボックス上部に複数のガイドリングを設置してこれに吊り上げ索を通すことにより、クレーンで吊り上げたときに吊り上げ索からボックスに掛かる荷重が分散してボックスの変形が防止され、かつクレーンによる吊り上げが安定する。
【図面の簡単な説明】
【００１７】
【図１】本発明に係る仮設トイレ（吊り上げ状態）の斜視図である。
【図２】図１の仮設トイレに設置した吊り上げ部材の斜視図である。
【図３】図１の仮設トイレの要部（吊り上げ部材設置部）断面図である。
【図４】図１の仮設トイレの要部（ガイドリング設置部）断面図である。
【図５】従来の仮設トイレの斜視図である。
【図６】図５の仮設トイレの便槽とボックスの締結部の断面図（ａ）、及び壁パネルと天井パネルの締結部の断面図（ｂ）である。
【発明を実施するための形態】
【００１８】
以下、図１〜図４を参照して、本発明に係る仮設トイレについて説明する。図１〜４に示す仮設トイレは、吊り上げ部材２１とガイドリング２２を除いて、図５，６に示す仮設トイレと同じである。従って、ここでは、図１〜４に示す仮設トイレのうち、主として吊り上げ部材２１及びガイドリング２２について説明する。
図２に示すように、吊り上げ部材２１は、帯状の金属材を略コの字形に曲げ加工した本体部２３と、本体部２３を構成する底板２４と左右の側板２５，２６のコーナー部内側に溶接された各一対の補強リブ２７，２８と、補強リブ２７，２８の間に略水平に固定された掛止部材２９からなる。係止部材２９は、補強リブ２７，２８に形成した穴にボルトを挿し通し、ナットで締結したものである。
【００１９】
側板２５，２６の上端は、中央部が幅Ｗ及び長さＬで内側に略水平に折り込まれてフランジ部３１が形成され、そのほぼ中央部に穴３２が形成されている。この例では、フランジ部３１の幅Ｗは補強リブ２７，２８の間隔とほぼ等しく、フランジ部３１は補強リブ２７，２８の上端に溶接されている。フランジ部３１の幅Ｗ（補強リブ２７，２８の間隔も）は第１凹部７の幅より小さく、本体部２３の幅は第１凹部８の幅より大きく、本体部２３の高さ（側板２５，２６の高さ）は便槽１の高さよりやや大きい。側板２５，２６のフランジ部３１よりやや下方位置に、吊り上げ索３３が通過する開口３４が形成されている。
【００２０】
図３に示すように、吊り上げ部材２１は、本体部２３の底板２４が便槽１の底面に接触し、側板２５が便槽１の側面に接触し（側板２６も同様）、補強リブ２７，２８、掛止部材２９及びフランジ部３１が第１凹部８内に収容され、フランジ部３１が便槽１に形成された第１フランジ９の下面側に接触し、フランジ部３１は第１フランジ９及び第２フランジ１１とともに、ボルト・ナット３５により互いに締結されている。吊り上げ部材２１は、仮設トイレの組み立て時に仮設トイレの一部として装着され、次に仮設トイレを分解するまでは装着したままとされる。
この例では、掛止部材２９に、吊り上げ索（ワイヤロープ）３３の下端に形成されたループ３３ａが引っ掛けられ、開口３４から外部に出ている。
【００２１】
ガイドリング２２は各吊り上げ索３３に対応して設置されるもので、板状の金属材からなり、基部にボルト穴が形成され、先端部に吊り上げ索３３が通るガイド穴３６が形成されている。ガイドリング２２の基部は、図４に示すように、第４凹部１４内に挿入されて第４フランジ１５の上に配置され、第３フランジ１３及び第４フランジ１５とともに、ボルト・ナット３７により互いに締結されている。吊り上げ部材２１は、仮設トイレの組み立て時に仮設トイレの一部として装着され、次に仮設トイレを分解するまでは装着したままとされる。ガイド穴３６は第４凹部１４の外に配置されている。同じガイドリングが図示しない右壁パネルにも取り付けられている。
【００２２】
この仮設トイレを吊り上げるときは、下端が掛止部材２９に引っ掛けられた吊り上げ索３３をそれぞれ上方のガイド穴３６に通し、上端に形成されたループをクレーンのフック３８に引っ掛け、該クレーンで吊り上げる。
仮設トイレを吊り上げたとき、便槽１の底面が吊り上げ部材２１の底面２４により下から支持され、かつ便槽１の第１フランジ９が吊り上げ部材２１のフランジ部３１により下から支持され、これにより、ボックス２の壁パネル（壁パネル４、右壁パネル）と天井パネル３との締結部、あるいは壁パネル（壁パネル４、右壁パネル）と便槽１との締結部に無理な荷重が掛からずにすむ。
【００２３】
なお、上記の例では、吊り上げ索３３の下端に形成したループ３３ａを掛止部材２９（ボルトの軸）に引っ掛ける構造であるため、仮設トイレを組み立てる前に、ループ３３ａを吊り上げ部材２１の掛止部材２９に引っ掛けておく必要がある。言い換えれば、吊り上げ索３３は仮設トイレに装着したままとされる。
【００２４】
一方、吊り上げ索３３は比較的長いので、仮設トイレに装着したままの短い下部吊り上げ索と、下端が前記下部吊り上げ索に連結自在で、上端をフック３８に引っ掛けることができる上部吊り上げ索の２つに分けてもよい。この場合、吊り上げ時にのみ、前記上部吊り上げ索を下部吊り上げ索に連結する。あるいは、吊り上げ索の下端にフック等の部材を取り付け、前記フック等の部材を掛止部材２９に対し着脱自在とし、かつ開口３４を通して外からその着脱を操作できるようにしてもよい。この場合、吊り上げ時にのみ、吊り上げ索を仮設トイレに装着する。
【符号の説明】
【００２５】
１  便槽
２  ボックス
４，５  壁パネル
７  天井パネル
８  第１凹部
９  第１フランジ
１０  第２凹部
１１  第２フランジ
１２  第３凹部
１３  第３フランジ
１４  第４凹部
１５  第４フランジ
２１  吊り上げ部材
２２  ガイドリング
２４  底板
２５，２６  側板
２７，２８  補強リブ
２９  掛止部材（ボルト・ナット）
３１  フランジ部
３３  吊り上げ索
３４  開口
【図１】
2014079421.tif 000003
【図２】
2014079421.tif 000004
【図３】
2014079421.tif 000005
【図４】
2014079421.tif 000006
【図５】
2014079421.tif 000007
【図６】
2014079421.tif 000008